(57)【要約】【課題】セキュリティ性の高い印刷物を提供する。【解決手段】印刷物１は基材２と、基材２上の印刷画像３とを備えている。印刷画像３は励起光を照射した場合に第１残光時間をもって第１残光色を発光する第１蛍光体５と、第１残光時間より長い第２残光時間をもって第２残光色の光を発光する第２蛍光体６と、第２残光時間より長い第３残光時間をもって第３残光色の光を発光する第３蛍光体７とを有する。
2017138594.tif 000002
【特許請求の範囲】
【請求項１】
基材と、
基材上に設けられた印刷画像とを備え、
前記印刷画像は励起光を照射した場合に第１残光時間をもって第１残光色の光を発光する第１蛍光体と、
励起光を照射した場合に第１残光時間より長い第２残光時間をもって第２残光色の光を発光する第２蛍光体と、
励起光を照射した場合に第２残光時間より長い第３残光時間をもって第３残光色の光を発光する第３蛍光体とを有することを特徴とする印刷物。
【請求項２】
第１残光色は赤色、緑色、または青色の３色のうちいずれか一色、第２残光色は３色のうち残りの一色、第３残光色は３色のうち他の一色からなることを特徴とする請求項１記載の印刷物。
【請求項３】
基材と、基材上に設けられた印刷画像とを備え、前記印刷画像は励起光を照射した場合に第１残光時間をもって第１残光色の光を発光する第１蛍光体と、励起光を照射した場合に、第１残光時間より長い第２残光時間をもって第２残光色の光を発光する第２蛍光体と、励起光を照射した場合に第２残光時間より長い第３残光時間をもって第３残光色の光を発光する第３蛍光体とを有することを特徴とする印刷物を準備する工程と、
当該印刷物の印刷画像に対して励起光を照射して印刷物の印刷画像から発光する光を受光する工程と、
受光した光から時間の経過に対応する光の色の変化を検知する工程と、
検知された光の色の変化に基づいて印刷物の真偽判定を行なう工程とを備えたことを特徴とする印刷物の読み取り方法。
【請求項４】
基材と、基材上に設けられた印刷画像とを備え、前記印刷画像は励起光を照射した場合に第１残光時間をもって第１残光色の光を発光する第１蛍光体と、励起光を照射した場合に、第１残光時間より長い第２残光時間をもって第２残光色の光を発光する第２蛍光体と、励起光を照射した場合に第２残光時間より長い第３残光時間をもって第３残光色の光を発光する第３蛍光体とを有することを特徴とする印刷物を載置する載置台と、
前記載置台に載置された印刷物の印刷画像に対して励起光を照射する投光部と、
前記印刷物の印刷画像から発光する光を受光する受光部と、
受光した光から時間の経過に対応する光の色の変化を検知する検知部と、
検知部からの信号に基づいて印刷物の真偽判定を行なう判定部とを備えたことを特徴とする印刷物の読み取り装置。
【発明の詳細な説明】
【技術分野】
【０００１】
本発明は、偽造あるいは変造の防止対策が要求される認証用カード又は通帳などの印刷物、その読み取り方法および読み取り装置に関する。
【背景技術】
【０００２】
クレジットカード、運転免許証、指定場所への入退場許可証、個人認証用カードなどの印刷物は高いセキュリティー性が要求される印刷物である。しかし、本物の認証用カードと一見しただけでは区別がつかないような精巧な偽造、変造カードの製造が、社会問題となっている。【０００３】
これらの偽造、変造カードの製造を防止するため種々の提案がされている。例えば、Ｒ（赤色）、Ｇ（緑色）、Ｂ（青色）の発光を行う３種類の色料を含む３種の蛍光インクを用いて、基材に原稿画像あるいは被写体に対応するＲＧＢ画像データを印刷することにより、基材上に蛍光体画像を形成し、可視光下では見えないが、励起光を照射したときにＲＧＢ光を発光させ、加法混色によって原稿画像あるいは被写体に近い蛍光画像が現れるようにする画像形成方法が提案されている（特許文献１参照）。【０００４】
また基材上に画像を設け、この画像が励起光を照射した場合に第１残光時間をもって第１色を発光する第１１蛍光体と、第１残光時間より長い第２残光時間をもって第２色を発光する第２蛍光体とを含む印刷物が知られている（特許文献２参照）。【０００５】
このような印刷物では、第１色と第２色の混合色と、第２色とを呈する２段階の色の変化を示すことになるが、２段階の色の変化では画像からの発光する光にセキュリティ性を確実にもたせることはむずかしい。
【先行技術文献】
【特許文献】
【０００６】
【特許文献１】特開平１０−３５０８９号公報
【特許文献２】特開２００５−６７０４３号公報
【発明の開示】
【発明が解決しようとする課題】
【０００７】
本発明はこのような点を考慮してなされたものであり、セキュリティ性の高い印刷物、その読み取り方法、および読み取り装置を提供することを目的とする。
【課題を解決するための手段】
【０００８】
本発明は、基材と、基材上に設けられた印刷画像とを備え、前記印刷画像は励起光を照射した場合に第１残光時間をもって第１残光色の光を発光する第１蛍光体と、励起光を照射した場合に第１残光時間より長い第２残光時間をもって第２残光色の光を発光する第２蛍光体と、励起光を照射した場合に第２残光時間より長い第３残光時間をもって第３残光色の光を発光する第３蛍光体とを有することを特徴とする印刷物である。【０００９】
本発明は、第１残光色は赤色、緑色、または青色の３色のうちいずれか一色、第２残光色は３色のうち残りの一色、第３残光色は３色のうち他の一色からなることを特徴とする印刷物である。【００１０】
本発明は、基材と、基材上に設けられた印刷画像とを備え、前記印刷画像は励起光を照射した場合に第１残光時間をもって第１残光色の光を発光する第１蛍光体と、励起光を照射した場合に第１残光時間より長い第２残光時間をもって第２残光色の光を発光する第２蛍光体と、励起光を照射した場合に第２残光時間より長い第３残光時間をもって第３残光色の光を発光する第３蛍光体とを有することを特徴とする印刷物を準備する工程と、当該印刷物の印刷画像に対して励起光を照射して印刷物の印刷画像から発光する光を受光する工程と、受光した光から時間の経過に対応する光の色の変化を検知する工程と、検知された光の色の変化に基づいて印刷物の真偽判定を行なう工程とを備えたことを特徴とする印刷物の読み取り方法である。【００１１】
本発明は、基材と、基材上に設けられた印刷画像とを備え、前記印刷画像は励起光を照射した場合に第１残光時間をもって第１残光色の光を発光する第１蛍光体と、励起光を照射した場合に、第１残光時間より長い第２残光時間をもって第２残光色の光を発光する第２蛍光体と、励起光を照射した場合に第２残光時間より長い第３残光時間をもって第３残光色の光を発光する第３蛍光体とを有することを特徴とする印刷物を載置する載置台と、前記載置台に載置された印刷物の印刷画像に対して励起光を照射する投光部と、前記印刷物の印刷画像から発光する光を受光する受光部と、受光した光から時間の経過に対応する光の色の変化を検知する検知部と、検知部からの信号に基づいて印刷物の真偽判定を行なう判定部とを備えたことを特徴とする印刷物の読み取り装置である。
【発明の効果】
【００１２】
本発明によれば、セキュリティー性の高い印刷物、その読み取り方法および読み取り装置を提供することができる。
【図面の簡単な説明】
【００１３】
【図１】図１は本実施の形態による印刷物およびその読み取り装置を示す図。
【図２】図２（ａ）は蛍光体の残光時間を示す図、図２（ｂ）は印刷画像から発光する光の色の変化を示す図。
【図３】図３は赤色の光、緑色の光、青色の光を混色させた状態を示す図。
【発明の実施の形態】
【００１４】
以下、図１乃至図３を参照して本発明の実施の形態について説明する。
ここで図１は本実施の形態による印刷物および印刷物の読み取り装置を示す図であり、図２（ａ）は蛍光体の残光時間を示す図であり、図２（ｂ）は印刷画像から発光する光の色の変化を示す図であり、図３は赤色の光、緑色の光、青色の光を混色させた状態を示す図である。
【００１５】
図１に示すように、印刷物は基材２と、基材２上に設けられた印刷画像３とを備えている。ここで印刷物としては、紙幣や有価証券証書等の換金性のある印刷物やＩＤ証やパスポート等の身分証明書等、あるいは商品券、図書券、交通機関の乗車券、有料施設やイベントの入場券、宝くじ、公営競技の投票券の当たり券、キャッシュカード、ゲームカード・トレーディングカード、保証書、ポスター、チラシなどが考えられる。
【００１６】
このうち基材２は、例えば厚さ  １０μｍ〜１０ｍｍのポリエステル、ポリイミド、ポリカーボネート、ポリエチレンテレフタレート、ポリ塩化ビニル、ポリメタクリレート等の合成樹脂フィルムまたは上質紙、アート紙、コート紙、キャストコート紙、合成樹脂又はエマルジョン含浸紙、合成ゴムラテックス含浸紙、合成樹脂内添紙、セルロース繊維紙等の紙類からなる。
【００１７】
また印刷画像３は紫外線等の励起光を照射した場合に第１残光時間をもって赤色（第１残光色）を発光する第１蛍光体（第１リン光体）５と、励起光を照射した場合に第１残光時間より長い第２残光時間をもって緑色（第２残光色）を発光する第２蛍光体（第２リン光体）６と、励起光を照射した場合に第２残光時間より長い第３残光時間をもって青色（第３残光色）を発光する第３蛍光体（第３リン光体）７とを有する。
【００１８】
この場合、印刷画像３は、上記の第１蛍光体５と、第２蛍光体６と、第３蛍光体７と、これら蛍光体５、６、７が混入されるバインダ８とを含むインキを準備し、このインキを用いて基材２上に印刷することにより得られる。
【００１９】
上述のように第１蛍光色体５は、紫外線等の励起光の照射を受けて第１の波長（赤色）の光を発光する。また、この第１蛍光体５は、励起光照射終了後に第１の残光時間にわたり残光する特性を有する。また第２蛍光体６は紫外線等の励起光の照射を受けて第２の波長（緑色）の光を発光する。また、この第２蛍光体６は、励起光照射終了後に第１蛍光体５の第１残光時間より長い第２残光時間にわたり残光する。
【００２０】
また第３蛍光体７は紫外線等の励起光の照射を受けて第３の波長（青色）の光を発光する。またこの第３蛍光体７は、励起光照射終了後に第２蛍光体６の第２残光時間より長い第３残光時間にわたり残光する。
【００２１】
上記したバインダ８としては、マイクロクリスタリンワックス、高級脂肪酸、高級脂肪酸エステル、酢ビ−塩ビ共重合体、飽和ポリエステル樹脂などの熱溶融性で無色透明あるいは単色透明のもので、融点が約６０℃〜約１００℃のものを用いることができるが、上記に限らず、グラビア印刷方式、オフセット印刷方式、凸版印刷方式、フレキソ印刷方式、シルクスクリ−ン印刷方式、転写印刷方式、その他等の印刷方式に適したバインダであれば構わない。また、可塑剤、安定剤、酸化防止剤、光安定剤、紫外線吸収剤、硬化剤、架橋剤、滑剤、帯電防止剤、充填剤、スリップ剤、その他等の添加剤等を必要に応じて添加することができる。
【００２２】
ここで、本実施の形態においては、印刷画像の第１蛍光体５は励起光を照射した場合に赤色の光を発光するものであり、例えばＺｎＳ＋ＣｄＳ／Ｃｕ、Ｙ２Ｏ２／Ｓ／Ｅｕ，Ｌｎ、ＺｎＳ／Ｃｕ，Ｍｎ，Ｃｏ等の材料からなる。
【００２３】
また、本実施の形態においては、第２蛍光体６は励起光を照射した場合に緑色の光を発光するものであり、例えばＺｎＳ／Ｃｕ、ＭＯ・ｘＡｌ２Ｏ３・ｙＳｉＯ２Ｅｕ、ＳｒＡｌ２Ｏ４／Ｅｕ，Ｄｙ等の材料からなる。
【００２４】
さらに第３蛍光体７は、本実施の形態においては、励起光を照射した場合に青色の光を発光するものであり、例えばＣａＳ／Ｂｉ、ＣａＳ＋ＳｒＳ／Ｂｉ、ＭＯ・Ｓｉ２Ｏ３Ｅｕ、ＭＯ・Ａｌ２Ｏ３／Ｅｕ等の材料からなる。第１〜３の蛍光体の残光時間は、組成依存であるため適した残光時間の物質を選定する。
また、蛍光体を粉砕等することにより、残光時間を調整する。
また、第１〜第３の蛍光体の残光時間は、上述の材料の組成に依存するため適切な残光時間となるよう、物質を選定する。また、蛍光体を粉砕等することにより、残光時間を調整することもできる。
【００２５】
このように構成された印刷物１は載置台１５上に載置される。そして、載置台１５上に載置された印刷物１の印刷画像３に対して例えば紫外線光源からなる投光部１１から紫外線等の励起光が照射される。印刷画像３に投光部１１から励起光が照射されると、印刷画像３の第１蛍光体５、第２蛍光体６および第３蛍光体７から各々青色の光、緑色の光および青色の光からなる混色された光が発光される。そして印刷画像３から発光させる光は受光部１３に送られ、この検知部１３により受光された光の色の変化が検知され、印刷物１の読み取りが行なわれる。
【００２６】
なお上記構成部材のうち、載置台１５、投光部１１、受光部１２、および検知部１３により印刷画像の読み取り装置１０が構成される。
【００２７】
次にこのような構成からなる本実施の形態の作用、すなわち印刷物の読み取り方法について説明する。  
まず上述のように構成された印刷物１を作製して準備し、この印刷物を載置台１５上に載置する。次に印刷物１の印刷画像３に対して例えば紫外線源からなる投光部１１から紫外線を照射する。この場合、印刷画像３中に含まれる第１蛍光体５から赤色の第１残光色をもつ光が発光され、この光は第１残光時間をもって発光を持続する。
【００２８】
また同時に印刷画像３中に含まれる第２蛍光体６から緑色の第２残光色をもつ光が発光され、この光は第１残光時間より長い第２残光時間をもって発光を持続する。  
さらにまた、印刷画像３中に含まれる第３蛍光体７から青色の第３残光色をもつ光が発光され、この光は第２残光時間より長い第３残光時間をもって発光を持続する（図２（ａ）参照）。
【００２９】
この間、図２（ｂ）および図３に示すように、紫外線の照射終了時から第１残光時間の終了までの間は、印刷画像３から第１残光色（赤色）の光と、第２残光色（緑色）の光と、第３残光色（青色）の光の混色、すなわち白色の光が発光されることになる。次に第１残光時間の終了から第２残光時間の終了までの間では印刷画像３から第２残光色（緑色）の光と、第３残光色（青色）の光の混色、すなわち水色の光が発光されることになる。次に第２残光時間の終了から第３残光時間の終了までの間では、印刷画像３から第３残光色（青色）の光が発光される。
ここで、第１残光時間は１ｓ（秒）〜５ｓ（秒）、第２残光時間は１ｓ（秒）〜３０ｓ（秒）、第３残光時間は１ｓ（秒）〜３０ｍｉｎ（分）となっている。
一例を挙げると、第１残光時間は１秒、第２残光時間は３秒、第３残光時間は５秒ぐらいとなっている。あるいは第１残光時間は３秒、第２残光時間は１５秒、第３残光時間は６０秒〜数分ぐらいであってもよい。
【００３０】
印刷画像３から発光される光は、受光部１２により受光され、受光部１２により受光された光は検知信号となって検知部１３に送られる。検知部１３では、印刷画像３から発光される光から時間の経過に対応した光の色の変化、すなわち白色→水色→青色の変化を検知することができ、次に検知部１３からの信号に基づいて、判定部１４において予め内蔵された基準となる時間の経過に対応した光の色の変化と、受光部１２により受光された光の色の変化とを比較して印刷物１の真偽判定を行なうことができる。
【００３１】
以上のように本実施の形態によれば、印刷画像３に励起光を照射した場合に印刷画像３から発光される光が３段階に変化し、この３段階に変化する光を受光部１２で受光し、次に検知部１３により３段階に変化する光の色を検知することができる。そしてこの光の色の変化に基づいて判定部１４により印刷物１の真偽判定を行なうことができ、このことによりセキュリティ性の高い印刷物１を得ることができる。
また、本実施の形態においては、第１残光色、第２残光色、第３残光色は赤色、青色、緑色のうちの１色であり、それぞれ異なる。
そのため、励起光照射終了時から第１残光時間の終了までの間は、３色の混色である白色の発光が観察されるため、第１残光時間の終了後に観察される発光の色とのコントラストが大きくなり、印刷画像の発光の色変化をより容易に観察できる。
また、本実施の形態においては、印刷画像からの発光の色は、励起光照射終了後、第１残光時間の終了までは変化しない。
そのため、励起光照射終了時に発光の色が変化する場合に比べ、印刷物に施されたセキュリティー効果を知らない者が、これに気が付く可能性が低い。
したがって、セキュリティー性がより高い印刷物とすることができる。
また、本実施の形態においては、第１蛍光体、第２蛍光体、第３蛍光体はそれぞれリン光体からなるため、残光時間が長い蛍光体がより大きな発光強度を有するよう、蛍光体を選定することにより、励起光照射終了後から第３残光時間の終了までの印刷画像の発光強度の変化を小さくし、発光の色及びその変化をより観察しやすくすることができる。
【００３２】
（変形例１）
次に本発明の変形例について説明する。上記実施の形態において、第１残光色として赤色をとり、第２残光色として緑色をとり、第３残光色として青色をとる例を示したが、これに限らず、第１残光時間をもつ第１残光色として赤色をとり、第２残光時間をもつ第２残光色として青色をとり、第３残光時間をもつ第３残光色として緑色をとってもよい。
この場合、印刷画像から発光される光は、紫外線の照射終了時から第１残光時間の終了までの間は、白色を呈し、第１残光時間の終了から第２残光時間の終了までの間では、水色を呈し、第２残光時間の終了から第３残光時間の終了までの間では、緑色を呈する（図３参照）。
【００３３】
（変形例２）
次に変形例２について説明する。第１残光時間をもつ第１残光色として青色をとり、第２残光時間をもつ第２残光色として赤色をとり、第３残光時間をもつ第３残光色として緑色をとってもよい。
この場合、印刷画像から発光される光は、紫外線の照射終了時から第１残光時間の終了までの間は、白色を呈し、第１残光時間の終了から第２残光時間の終了までの間では、黄色を呈し、第２残光時間の終了から第３残光時間の終了までの間では、緑色を呈する（図３参照）。
【００３４】
（変形例３）
次に変形例３について説明する。第１残光時間をもつ第１残光色として青色をとり、第２残光時間をもつ第２残光色として緑色をとり、第３残光時間をもつ第３残光色として赤色をとってもよい。
この場合、印刷画像から発光される光は、紫外線の照射終了時から第１残光時間の終了までの間は、白色を呈し、第１残光時間の終了から第２残光時間の終了までの間では黄色を呈し、第２残光時間の終了から第３残光時間の終了までの間では、赤色を呈する（図３参照）。
【００３５】
（変形例４）
次に変形例４について説明する。
第１残光時間をもつ第１残光色として緑色をとり、第２残光時間をもつ第２残光色として赤色をとり、第３残光時間をもつ第３残光色として青色をとってもよい。
この場合、印刷画像から発光される光は、紫外線の照射終了時から第１残光時間の終了までの間は、白色を呈し、第１残光時間の終了から第２残光時間の終了までの間では、ピンク色を呈し、第２残光時間の終了から第３残光時間の終了までの間では、青色を呈する（図３参照）。
【００３６】
（変形例５）
次に変形例５について説明する。第１残光時間をもつ第１残光色として緑色をとり、第２残光時間をもつ第２残光色として青色をとり、第３残光時間をもつ第３残光色として赤色をとってもよい。
この場合、印刷画像から発光される光は、紫外線の照射終了時から第１残光時間の終了までの間は、白色を呈し、第１残光時間の終了から第２残光時間の終了までの間では、ピンク色を呈し、第２残光時間の終了から第３残光時間の終了までの間では、赤色を呈する（図３参照）。
【００３７】
なお、本実施の形態および変形例においては、第１蛍光体５、第２蛍光体６、第３蛍光体７と、これらが混入されるバインダとを含むインキを基材上に印刷することにより印刷物１を得たが、印刷物の作成方法は、これに限定されない。例えば、第１蛍光体５、第２蛍光体６、第３蛍光体７のそれぞれが別のインキに含まれるようにし、これらを平面視において重なるように印刷して印刷物１を得てもよい。第１蛍光体５、第２蛍光体６、第３蛍光体７のすべてが印刷された部分においては、本実施の形態と同様の発光色の経時的変化が観察される。
【符号の説明】
【００３８】
１  印刷物
２  基材
３  印刷画像
５  第１蛍光体  
６  第２蛍光体  
７  第３蛍光体
１１  投光部
１２  受光部
１３  検知部
１４  判定部  
１５  載置台
【図１】
2017138594.tif 000003
【図２】
2017138594.tif 000004
【図３】
2017138594.tif 000005
【国際調査報告】
2017138594.tif 000006
2017138594.tif 000007
2017138594.tif 000008
2017138594.tif 000009